(57)【特許請求の範囲】
【請求項１】
二つの磁針と、地図データを印刷した地図とを備えた方針器型簡易
ナビゲーターであって、二つの磁針によって前記地図をはさみ固定すると共
に、二つの磁針と一体になって前記地図が回転することを特徴とする方針器
型簡易ナビゲーター。  
【発明の詳細な説明】
【技術分野】
【０００１】
この発明は、方位磁石を用いた簡易ナビゲーターに関するものである。
【背景技術】
【０００２】
通常、ナビゲーターと称されるものは殆んど電子回路や電気を用いられ必要以上の機能が数多く設けられ、複雑で製造が難しく結果的に値段が高くる、また使用料が発生して経済的に無駄が発生している。
【０００３】
又磁石と地図を組み合わせたものも数点見受けられるが殆ど全てが地図を方針器の方向にその都度合わせなければならない。
【０００４】
観光地、大規模スーパー等の一定地域内、大規模な建物内を徒歩で目的地まで行く為のナビゲーターとしては、案内図等しかないが初めての場所ではかなりわかりにくい事が多い。
【０００５】
【特許文献１】特開２００６−２５０８９１号公報
【特許文献２】特開２００４−２１２１４６号公報
【特許文献３】特開２００１−２７２２３４号公報
【特許文献４】実開平６−１６９７０号公報
【特許文献５】特開平７−２６０４８７号公報
【発明の開示】
【発明が解決しようとする課題】
【０００６】
本発明の目的は使用範囲を特定し簡単に誰でも使用できかつ、コストを抑える為の電子回路、電池等を使用しない方針器型簡易ナビゲーターを提供することにある。
【０００７】
又電子回路等を使用しないものもあるが地図を方針器が示す方向に合わせて使用しなくてはならない為、使い勝手が悪い。
【課題を解決するための手段】
【０００８】
この発明によれば、地図データーが磁針と一体となって回転し常に磁北の方向に向いている為、地図データーを磁針の方向に合わせる作業なしで範囲内に示された目的地の方向に向かって方位を気にすることなく地図をたどって進めば目的地に到着することができる。
【０００９】
方針器の２個の磁針の間に特定範囲内の円形の地図データーを方位に合わせてはさみ固定すると同時に磁石の強さを２倍にすることにより地図データーの質量の負担を少なくして磁針の反応を良くすることができる。
【００１０】
地図データーの細かい表示を補う為方針器のフタを凸レンズと兼用とした。
【発明の効果】
【００１１】
この発明によれば、方位磁石を使用しているため地図データーは何の制御もなく自動的に現在の進行方向と目的地への進行方向との関係が示され、進行方向を目的地の方向に変える事により誰でも簡単に操作なしで目的地付近に到達する事ができる。
【００１２】
また、電子回路、電池、特別なセンサー等を使用していない為、低コストで製造可能、しかも維持費も必要なくなる。
【００１３】
地図データーは自由に交換可能なため、観光地、デパート、駅、オリエンテーリング、老人用グッズとしても使用ができる。
【発明を実施するための最良の形態】
【００１４】
次に本発明の実施形態を図１〜図１０に基づいて説明する。
【００１５】
図１は実施例の全体を上から見た状態を示し、磁針１と磁針１aの間に印刷された地図データー２に表示された磁北と磁針の方位を合わせて挟み、キャップ５で固定したものをピン１２の上に乗せた状態を示す。
【００１６】
次に方針器型簡易ナビゲーターを水平にかまえフタ３に記入された目的地方向設定マーク９、及び出発地方向設定マーク８を現在自分が向いている正面の方向に合わせることを示す。
【００１７】
次に方針器型簡易ナビゲーターの地図データー２が示す目的地６の方向に向かって進むことを示す。
【００１８】
リストラップ１０はリング１１に通して携帯用として持ち運びやすいようにする為、設けたものを示す。
【００１９】
図２は出発地７で直近の道路又は通路を使用して地図データー２上に示された、目的地６の方向に向かって進むことを示す。
【００２０】
図３は十字路Ａ地点１４に到着した時点で目的地６の方向に近い道路又は通路の方向に進行方向を変えＹ字路Ｂ地点１５に向かって進むことを示す。
【００２１】
図４はＢ地点１５で地図データー２上に示された目的地６の方向に近い方向に向かって進むことを示す。
【００２２】
図５はＹ字路Ｃ地点１６で地図データー２上に示された目的地６の方向に近い方向のＹ字路Ｄ地点に向かって進むことを示す。
【００２３】
図６はＤ地点１７で地図データー２上に示された目的地６の方向に近い方向に向かって進むことを示す。
【００２４】
図７はＥ地点１８で地図データー２上に示された目的地６の方向に近い方向に向かって進むことを示す。
【００２５】
図８はＦ地点１９で地図データー２上に示された目的地６の方向に近い方向に向かって進むことを示す。
【００２６】
図９は目的地６付近に到着したことを示す。
【００２７】
図１０は方針器型簡易ナビゲーターの断面を示し、磁針１と磁針１aの間に地図データー２を挟みキャップ５で固定した後ピン１２の上に乗せる、又ピン１２を保持する為のピン取り付け板１３、これを保持するケース４、予備の地図データー２aを保管する為ポケット４aを設けた事を示す。
【産業上の利用可能性】
【００２８】
本発明は狭い範囲の地図又は案内図を携帯電話などの多機能で操作が慣れないと困難、高価な電子回路等を使用したナビゲーターの弱点である部分を解決する為に提供することができる。
【図面の簡単な説明】
【００２９】
【図１】本発明の実施例の全体を上から見た状態を示した図である。
【図２】出発地から目的地に到着するまでの地図データーと進行方向との関係を示す。
【図３】出発地から目的地に到着するまでの地図データーと進行方向との関係を示す。
【図４】出発地から目的地に到着するまでの地図データーと進行方向との関係を示す。
【図５】出発地から目的地に到着するまでの地図データーと進行方向との関係を示す。
【図６】出発地から目的地に到着するまでの地図データーと進行方向との関係を示す。
【図７】出発地から目的地に到着するまでの地図データーと進行方向との関係を示す。
【図８】出発地から目的地に到着するまでの地図データーと進行方向との関係を示す。
【図９】出発地から目的地に到着するまでの地図データーと進行方向との関係を示す。
【図１０】本発明の実施例の断面を示した図である。
【符号の説明】
【００３０】
１      磁針
１a     磁針
２      地図データー
２a     予備の地図データー
３      凸レンズ兼用フタ
４      ケース
４a     ポケット
５      キャップ
６      地図データー上に表示された目的地
７      地図データー上に表示された出発地
８      出発地方向設定マーク
９      目的地方向設定マーク
１０    ストラップ
１１    リング
１２    ピン
１３    ピン取付け板
１４    地点Ａ
１５    地点Ｂ
１６    地点Ｃ
１７    地点Ｄ
１８    地点Ｅ
１９    地点Ｆ
【要約】
【課題】  使用範囲を特定し簡単に誰でも使用できかつ、コストを抑える為の電子回路、電池等を使用しない、そして地図データーを回転、移動しなくて使用可能な方針器型簡易ナビゲーターを提供することにある。
【解決手段】  方針器の磁針にシートに印刷した特定範囲内の地図データーを磁針の磁力を強くする為に２本使用し固定する為にはさみ、地図データーに表示された目的地の方向に向かって道又は、通路を進んで行けば地図データーが自動的に方位を変える為、目的地に到達することができる。
【選択図】  図１【図１】
0004068658.tif 000002
【図２】
0004068658.tif 000003
【図３】
0004068658.tif 000004
【図４】
0004068658.tif 000005
【図５】
0004068658.tif 000006
【図６】
0004068658.tif 000007
【図７】
0004068658.tif 000008
【図８】
0004068658.tif 000009
【図９】
0004068658.tif 000010
【図１０】
0004068658.tif 000011